【手続補正書】
【提出日】平成20年1月18日(2008.1.18)
【手続補正１】
【補正対象書類名】特許請求の範囲
【補正対象項目名】全文
【補正方法】変更
【補正の内容】
【特許請求の範囲】
【請求項１】
発電に使用する燃料の供給量を調整する燃料ポンプを備えた燃料電池から供給される電力により駆動されて記録媒体に画像を形成する画像形成装置であって、
燃料電池の廃熱が供給されて画像形成前の前記記録媒体を加熱するFC廃熱加熱部材と、前記FC廃熱加熱部材の温度に応じて前記燃料ポンプによる燃料の供給量を可変して前記FC廃熱加熱部材の温度を調節する温度調節手段とを備えたことを特徴とする画像形成装置。
【請求項２】
画像を形成する位置まで前記記録媒体を搬送する搬送ベルトを備え、
前記FC廃熱加熱部材は、前記記録媒体との間に前記搬送ベルトを挟んで配置されている請求項１に記載の画像形成装置。
【請求項３】
前記FC廃熱加熱部材は、画像を形成する位置まで前記記録媒体を搬送する搬送経路のローラを構成している請求項１に記載の画像形成装置。
【請求項４】
前記FC廃熱加熱部材は、画像を形成する位置まで前記記録媒体を搬送する搬送経路のガイド板を構成している請求項１に記載の画像形成装置。
【請求項５】
前記FC廃熱加熱部材は、給紙前の前記記録媒体を収容する給紙部において前記記録媒体を加熱する請求項１に記載の画像形成装置。
【請求項６】
前記FC廃熱加熱部材は、前記燃料電池内における物質の輸送経路の一部から熱を伝達され、
前記輸送経路は、輸送方向上流側から下流側に向けて徐々に重力方向に下がるように配置されている請求項１から請求項５に記載の画像形成装置。
【請求項７】
画像を形成する位置で前記記録媒体に対向してインクを吐出するノズルを備え、
前記FC廃熱加熱部材は、前記記録媒体の搬送経路を間に挟んで前記ノズルに対向して配置されている請求項１から請求項６のいずれかに記載の画像形成装置。
【請求項８】
前記ノズルに対向する面と反対の面から前記FC廃熱加熱部材を冷却する冷却機構を備え、
前記温度調節手段は、前記冷却機構による冷却量を可変することにより前記FC廃熱加熱部材の温度を調節する請求項７記載の画像形成装置。
【請求項９】
前記温度調節手段は、使用条件と前記FC廃熱加熱部材の適正温度との関係を記憶する適正温度記憶手段と、前記FC廃熱加熱部材の温度を検出する温度検出手段とを有し、使用条件に応じた適正温度に温度検出手段で検出された温度を近づけるように前記FC廃熱部材の温度を調節する請求項８記載の画像形成装置。
【請求項１０】
前記適正温度記憶手段は、前記使用条件にインクの種類と適正温度との関係を含み、インクの乾燥速度が遅いほど前記適正温度を高く設定し、
前記温度調節手段は、画像形成に用いるインクの種類を検出するインク種検出手段を有し、前記インク種検出手段で検出されたインクの種類に応じた適正温度に温度検出手段で検出された温度を近づけるように前記FC廃熱部材の温度を調節する請求項９記載の画像形成装置。
【請求項１１】
前記FC廃熱加熱部材の温度が低いほど印刷速度を遅くする請求項９または請求項１０に記載の画像形成装置。
【請求項１２】
前記記録部材に画像を形成していないときに印刷速度を可変させる請求項１１に記載の画像形成装置。
【請求項１３】
前記温度調節手段は、前記FC廃熱加熱部材の温度の異常高温を検出すると印刷動作を停止させる請求項１２に記載の画像形成装置。
【請求項１４】
前記温度調節手段は、前記FC廃熱加熱部材の温度の異常低温近郊値を検出すると印刷速度を低速にする請求項１３に記載の画像形成装置。
【請求項１５】
印刷速度が低速であることを報知し、前記FC廃熱加熱部材の温度が異常低温近郊値である旨を報知しない請求項１４に記載の画像形成装置。
【請求項１６】
印刷速度を低速にした場合に前記FC廃熱加熱部材の温度が高いほど高速な印刷速度に切り替える請求項１４または請求項１５に記載の画像形成装置。
【請求項１７】
前記FC廃熱加熱部材の温度が正常温度に戻ると、印刷速度を通常に戻す請求項１４から請求項１６のいずれかに記載の画像形成装置。
【請求項１８】
前記燃料電池が自律運転の限界に達すると印刷動作を停止する請求項１４から請求項１７に記載の画像形成装置。
【請求項１９】
印刷動作を停止する際に、給紙された記録媒体を全て排紙する請求項１８に記載の画像形成装置。
【請求項２０】
印刷動作を停止する際に、印刷途中の記録媒体に対する印刷を中断し、印刷前の記録媒体を全て排紙する請求項１８に記載の画像形成装置。
【請求項２１】
印刷動作を停止する際に、給紙トレイ内にある用紙をカセット内に戻す請求項１８から請求項２０のいずれかに記載の画像形成装置。
【請求項２２】
異常低温近郊値であることを検出した場合に低速で印刷するか通常速度で印刷するか選択する機能を備える請求項１４から請求項２１のいずれかに記載の画像形成装置。
【請求項２３】
前記FC廃熱加熱部材の異常高温の検出を報知する請求項１３から請求項２２のいずれかに記載の画像形成装置。
【手続補正２】
【補正対象書類名】明細書
【補正対象項目名】０００８
【補正方法】変更
【補正の内容】
【０００８】
この発明の第１の画像形成装置は、発電に使用する燃料の供給量を調整する燃料ポンプを備えた燃料電池から供給される電力により駆動されて記録媒体に画像を形成する画像形成装置であって、燃料電池の廃熱が供給されて画像形成前の記録媒体を加熱するFC廃熱加熱部材と、FC廃熱加熱部材の温度に応じて燃料ポンプによる燃料の供給量を可変して前記FC廃熱加熱部材の温度を調節する温度調節手段とを備えたことを特徴とする。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】変更
【補正の内容】
【００１４】
この発明の第８の画像形成装置は、第７の画像形成装置において、ノズルに対向する面と反対の面からFC廃熱加熱部材を冷却する冷却機構を備え、温度調節手段は、冷却機構による冷却量を可変することによりFC廃熱加熱部材の温度を調節するとよい。
【手続補正５】
【補正対象書類名】明細書
【補正対象項目名】００１５
【補正方法】変更
【補正の内容】
【００１５】
この発明の第９の画像形成装置は、第８の画像形成装置において、温度調節手段は、使用条件とFC廃熱加熱部材の適正温度との関係を記憶する適正温度記憶手段と、FC廃熱加熱部材の温度を検出する温度検出手段とを有し、使用条件に応じた適正温度に温度検出手段で検出された温度を近づけるようにFC廃熱部材の温度を調節するとよい。この発明の第１０の画像形成装置は、第９の画像形成装置において、適正温度記憶手段は、使用条件にインクの種類と適正温度との関係を含み、インクの乾燥速度が遅いほど適正温度を高く設定し、温度調節手段は、画像形成に用いるインクの種類を検出するインク種検出手段を有し、インク種検出手段で検出されたインクの種類に応じた適正温度に温度検出手段で検出された温度を近づけるようにFC廃熱部材の温度を調節するとよい。
【手続補正６】
【補正対象書類名】明細書
【補正対象項目名】００１６
【補正方法】変更
【補正の内容】
【００１６】
この発明の第１１の画像形成装置は、第９または第１０の画像形成装置において、FC廃熱加熱部材の温度に応じて印刷速度を可変させるとよい。この発明の第１２の画像形成装置は、第１１の画像形成装置において、記録部材に画像を形成していないときに印刷速度を可変させるとよい。
【手続補正７】
【補正対象書類名】明細書
【補正対象項目名】００１７
【補正方法】変更
【補正の内容】
【００１７】
この発明の第１３の画像形成装置は、第１２の画像形成装置において、温度調節手段は、FC廃熱加熱部材の温度の異常高温を検出すると印刷動作を停止させるとよい。
【手続補正８】
【補正対象書類名】明細書
【補正対象項目名】００１８
【補正方法】変更
【補正の内容】
【００１８】
この発明の第１４の画像形成装置は、第１３の画像形成装置において、FC廃熱加熱部材の温度の異常低温近郊値を検出すると印刷速度を低速にするとよい。この発明の第１５の画像形成装置は、第１４の画像形成装置において、印刷速度が低速であることを報知し、FC廃熱加熱部材の温度が異常低温近郊値である旨を報知しないとよい。この発明の第１６の画像形成装置は、第１４または第１５の画像形成装置において、印刷速度を低速にした場合にFC廃熱加熱部材の温度が高いほど高速な印刷速度に切り替えるとよい。この発明の第１７の画像形成装置は、第１４から第１６のいずれかの画像形成装置において、FC廃熱加熱部材の温度が正常温度に戻ると、印刷速度を通常に戻すとよい。この発明の第１８の画像形成装置は、第１４から第１７のいずれかの画像形成装置において、燃料電池が自律運転の限界に達すると印刷動作を停止するとよい。
【手続補正９】
【補正対象書類名】明細書
【補正対象項目名】００１９
【補正方法】変更
【補正の内容】
【００１９】
この発明の第１９の画像形成装置は、第１８の画像形成装置において、印刷動作を停止する際に、給紙された記録媒体を全て排紙するとよい。この発明の第２０の画像形成装置は、第１８の画像形成装置において、印刷動作を停止する際に、印刷途中の記録媒体に対する印刷を中断し、印刷前の記録媒体を全て排紙するとよい。この発明の第２１の画像形成装置は、第１８から第２０のいずれかの画像形成装置において、印刷動作を停止する際に、給紙トレイ内にある用紙をカセット内に戻すとよい。
【手続補正１０】
【補正対象書類名】明細書
【補正対象項目名】００２０
【補正方法】変更
【補正の内容】
【００２０】
この発明の第２２の画像形成装置は、第１４から第２１のいずれかの画像形成装置において、異常低温近郊値であることを検出した場合に低速で印刷するか通常速度で印刷するか選択する機能を備えるとよい。この発明の第２３の画像形成装置は、第１３から第２２のいずれかの画像形成装置において、FC廃熱加熱部材の異常高温の検出を報知するとよい。